(57)【要約】【課題】  熱がこもり難く涼感作用を有するかつらと、そのようなかつらを製造する方法とを提供する。【解決手段】  かつらベース１１となるネット部材のフィラメント１１ａに、吸熱剤１３ａを封入したマイクロカプセル１３ｂからなる涼感剤１３を付着する。そして、ネット部材でネットベース１１を形成し、ネットベース１１に毛髪１２を植設してかつら１０を作製する。吸熱剤１３ａには、融点が２０℃〜３５℃の高級脂肪族炭化水素を用いる。気温上昇や直射日光の照射で、かつらベース１１の温度が上昇しようとしても、固体の吸熱剤１３ａが液化して吸熱することにより、使用者に涼感を与える。ネット部材はスクワランなどの油分を被膜することで、頭皮に刺激を与えない。【選択図】  図１
2006193872.tif 000002
【特許請求の範囲】
【請求項１】
かつらベースに毛髪を植設したかつらにおいて、
吸熱剤を封入したマイクロカプセルが上記かつらベースに散在しており、
上記吸熱剤が吸熱することで、上記かつらベースの温度上昇を抑制することを特徴とする、かつら。
【請求項２】
かつらベースの少なくとも一部にネット部材で形成したネットベースを有するかつらにおいて、
吸熱剤を封入したマイクロカプセルが上記ネットベースに散在して付着しており、
上記吸熱剤が吸熱することで、上記ネットベースの温度上昇を抑制することを特徴とする、かつら。
【請求項３】
前記ネットベースを構成するフィラメントの外周面に、前記マイクロカプセルが付着していることを特徴とする、請求項２に記載のかつら。
【請求項４】
前記かつらベースが柔軟剤で被膜されていることを特徴とする、請求項１または２に記載のかつら。
【請求項５】
かつらベースの少なくとも一部に軟質合成樹脂製の人工皮膚で形成した人工皮膚ベースを有するかつらにおいて、
上記人工皮膚ベースの裏面に被膜層が形成され、
吸熱剤を封入したマイクロカプセルが上記被膜層に散在して固定されており、
上記吸熱剤が吸熱することで、上記人工皮膚ベースの温度上昇を抑制することを特徴とする、かつら。
【請求項６】
前記被膜層には柔軟剤が含まれていることを特徴とする、請求項５に記載のかつら。
【請求項７】
前記吸熱剤は、融点が２０℃〜３５℃の範囲にある高級脂肪族炭化水素を含むことを特徴とする、請求項１，２，５の何れかに記載のかつら。
【請求項８】
かつらベースに毛髪を植設するに先立ち、
上記かつらベースに、吸熱剤を封入したマイクロカプセルを付着する工程を備えることを特徴とする、かつらの製造方法。
【請求項９】
かつらベースの少なくとも一部にネット部材で形成したネットベースを有するかつらの製造方法において、
ネット部材で上記ネットベースを形成する前に、吸熱剤を封入したマイクロカプセルと樹脂とを含んだ溶液中に、上記ネット部材を浸漬することで、上記ネット部材に上記マイクロカプセルを付着するようにしたことを特徴とする、かつらの製造方法。
【請求項１０】
かつらベースの少なくとも一部にネット部材で形成したネットベースを有するかつらの製造方法において、
ネット部材で上記ネットベースを形成する前に、吸熱剤を封入したマイクロカプセルと樹脂と柔軟剤とを含んだ溶液中に、上記ネット部材を浸漬することで、上記ネット部材に上記マイクロカプセルを付着し、かつ該ネット部材を柔軟剤で被膜するようにしたことを特徴とする、かつらの製造方法。
【請求項１１】
かつらベースの少なくとも一部にネット部材で形成したネットベースを有するかつらの製造方法において、
ネット部材で上記ネットベースを形成した後で、吸熱剤を封入したマイクロカプセルと樹脂とを含んだ溶液中に、上記ネットベースを浸漬することで、上記ネットベースに上記マイクロカプセルを付着するようにしたことを特徴とする、かつらの製造方法。
【請求項１２】
かつらベースの少なくとも一部にネット部材で形成したネットベースを有するかつらの製造方法において、
ネット部材で上記ネットベースを形成した後に、吸熱剤を封入したマイクロカプセルと樹脂と柔軟剤とを含んだ溶液中に、上記ネットベースを浸漬することで、上記ネットベースに上記マイクロカプセルを付着し、かつ該ネットベースを柔軟剤で被膜するようにしたことを特徴とする、かつらの製造方法。
【請求項１３】
前記溶液の温度が１６０℃〜１９０℃の範囲であることを特徴とする、請求項９〜１２の何れかに記載のかつらの製造方法。
【請求項１４】
軟質合成樹脂材で形成した人工皮膚ベースを少なくとも一部に有するかつらの製造方法において、
吸熱剤を封入したマイクロカプセルをコーティング剤に混入し、上記人工皮膚ベースの裏面に上記コーティング剤を塗布して乾燥することで、上記人工皮膚ベースの裏面に被膜層を形成し、該被膜層に上記マイクロカプセルを固定するようにしたことを特徴とする、かつらの製造方法。
【請求項１５】
軟質合成樹脂材で形成した人工皮膚ベースを少なくとも一部に有するかつらの製造方法において、
吸熱剤を封入したマイクロカプセルと柔軟剤とをコーティング剤に混入し、上記人工皮膚ベースの裏面に上記コーティング剤を塗布して乾燥することで、上記人工皮膚ベースの裏面に被膜層を形成して、該被膜層に上記マイクロカプセルを固定するようにしたことを特徴とする、かつらの製造方法
【請求項１６】
前記人工皮膚ベースの裏面に被膜層を形成するに先立ち、該人工皮膚ベース表面に予め毛髪を植設することを特徴とする、請求項１２又は１３に記載のかつらの製造方法。
【請求項１７】
前記吸熱剤は融点が２０℃〜３５℃の高級脂肪族炭化水素を含むことを特徴とする、請求項８〜１２、１４、１５の何れかに記載のかつらの製造方法。
【発明の詳細な説明】
【技術分野】
【０００１】
本発明は、使用者に涼感を与え頭皮を清潔に保つことができるかつら及びその製造方法に関する。
【背景技術】
【０００２】
かつらは、かつらベースに毛髪を植設してなり、かつらベースの素材としてはネット部材を用いたもの（以下、ネットベースと言う）や、スキンと呼ばれる人工皮膚を用いたもの（以下、人工皮膚ベースという）がある（特許文献１および２）。人工皮膚ベースの素材としては、ナイロン、ポリウレタン、シリコン、ポリエステル、塩化ビニールなどの軟質合成樹脂材料が利用されている。
【０００３】
かつらベースをネット部材で形成する際には、かつらベースを使用者の頭部に合わせてキャップ形状にするために、ネット部材を前頭部や頭頂部或いは側頭部など各部の外部形状に合わせて裁断してネット部材を部分的に重ねて縫い合わせたり、キャップ形状を維持するためにネット部材以外の芯材にネット部材を縫い合わせたり、ネット部材を複数枚重ねて縫い合わせることで、ネットベースを形成している。
一方、ネットベースの前方部から天頂部にかけて地肌として自然に見えるように、人工皮膚ベースを部分的にネットベースに縫い付けたものもある。このようなかつらベースでは、さらに人工皮膚の頭皮側に別のネット部材を取り付ける場合もあり、吸湿シートなどを配置することで頭皮からの汗を吸収させるようにしたものもある。
【０００４】
【特許文献１】特許第２５４９５５６号公報
【特許文献２】特開平３−６９６０１号公報
【発明の開示】
【発明が解決しようとする課題】
【０００５】
ネット部材で作ったかつらベースは比較的通気性に優れているが、日差しが強いと、ネットベースに緻密に植設した毛髪によって、頭皮の熱が外部に発散されずにネットベースとの間で籠もってしまう。また、ネットベースに部分的に配した人工皮膚ベースや吸湿シートで頭部が覆われると、頭皮から発散する熱や外部から射し込む太陽光などで、かつらベースと頭皮との間に熱が籠もりやすく蒸れて、使用者に不快感を与えがちである。さらに、ネットベースに配した人工皮膚ベースの頭皮側にネット部材を取り付けることで、かつらに通気性を持たせようとしても、あまり効果的ではない。特に、夏の炎天下においては、汗が頭皮に伝って顔や首筋に流れ落ちることもあり、かつらの使用者に不快感を与える。このような時には、かつらは汗まみれになるため、かつらを頻繁に頭皮からはずして洗わなければならず、使用者の手間もかかるものであった。
【０００６】
また、特に、皮膚が敏感な使用者にとっては、ネットベースを構成するフィラメントや人工皮膚ベースの頭皮に接する内面側が微小凹凸などでザラついていたりすると、頭皮がかぶれたり、頭皮が痒くなることも考えられる。
以上のように、かつらベースと頭皮との間に籠もる熱による蒸れを抑制するために、ネットベースのメッシュ径を大きく設定したり、人工皮膚ベースの一部に大きな網目のネット部材を配したり、或いは人工皮膚ベースに大小の穴を設けることで、通気性を配慮したものもあるが、メッシュ径や穴を設ける箇所が限定されて、かつらのスタイル、すなわちかつらベースの形状も限定されることから、ユーザからの様々なニーズに対応することができず、根本的な解決にはなっていなかった。
【０００７】
本発明は、上記課題に鑑み、熱がこもり難く涼感作用を有するかつらと、そのようなかつらを製造する方法とを提供することを目的とする。
【課題を解決するための手段】
【０００８】
上記目的を達成するために、本発明は、吸熱剤を封入したマイクロカプセルをかつらベースに散在して配置し、吸熱剤の吸熱作用によりかつらベースの温度上昇を抑制することを特徴とする。
特に、かつらベースがネット部材で形成された場合にあっては、吸熱剤を封入したマイクロカプセルがネット部材に散在して付着しており、好ましくは、ネット部材を構成するフィラメントの外周面或いはフィラメントの撚り部の間に、マイクロカプセルが付着している。
かつらベースに吸熱剤を散在して付着させることにより、かつらを装着した際、気温が上昇しても或いは頭皮からの発熱も、かつらベースに散在している吸熱剤で吸熱され、かつら自体の温度上昇が抑制され、かつらと頭皮との間に熱がこもり難い。よって、使用者は汗をかき難く頭皮を清潔に保つことができる。
また、かつらベースが柔軟剤で被膜されている場合は、かつらベースが頭皮に接触しても、頭皮に優しく、頭皮が敏感な使用者であっても支障なくかつらを装着することができる。
【０００９】
また、かつらベースが人工皮膚ベースで成る場合にあっては、人工皮膚ベースの裏面に被膜層が形成され、吸熱剤を封入したマイクロカプセルを被膜層に散在して固定することで、吸熱剤の吸熱作用により人工皮膚ベースの温度上昇が抑制される。
このように、人工皮膚ベースに裏コーティングされた被膜層に、吸熱剤を封入したマイクロカプセルが散在して固定されているので、かつらを装着した際、気温が上昇しても或いは頭皮からの発熱も、吸熱剤で吸熱される。従って、かつら自体の温度上昇が抑制されてかつらと頭皮との間に熱がこもり難い。よって、使用者は頭皮とかつらベースとの間の温度を低温度に保持して頭皮に冷涼感を与えることができるので、汗をかき難く頭皮を清潔に保つことができる。
被膜層に柔軟剤が含まれている場合は、かつらベースが頭皮に接触しても、頭皮に優しく頭皮が敏感な使用者でも支障なくかつらを着用できる。
好ましくは、吸熱剤として、融点が２０℃〜３５℃の範囲にある高級脂肪族炭化水素を含むようにすることで、各個人の発汗作用に対応した吸熱剤で、かつらベースの温度上昇を抑制することができる。
【００１０】
また、本発明のかつらの製造方法によれば、かつらベースに毛髪を植設するに先立ち、かつらベースに、吸熱剤を封入したマイクロカプセルを付着する工程を備えることを特徴とする。
具体的には、ネット部材でかつらベースを形成する場合は、ネットベースを成形する前段階又はネットベースを成形した後段階であって、毛髪をネット部材に植設するに先立って、吸熱剤を封入したマイクロカプセルと樹脂とを含んだ溶液中に、ネット部材又は成形済のネットベースを浸漬することで、ネット部材又はネットベースにマイクロカプセルを付着する。好ましくは、このネット部材又はネットベースを、吸熱剤を封入したマイクロカプセルと樹脂と柔軟剤とを含んだ溶液中に浸漬することで、ネット部材又は成形後のネットベースにマイクロカプセルを付着すると共に、柔軟剤で被膜する。
好ましくは、溶液の温度を１６０℃〜１９０℃の範囲とすることで、最適な条件下でネット部材にマイクロカプセルを付着することができる。
また、軟質合成樹脂材で形成した人工皮膚ベースに対して吸熱剤を封入したマイクロカプセルを固定する場合は、好ましくは、人工皮膚ベースに毛髪を植設後、毛髪固定のために人工皮膚ベースの裏面に対して樹脂コーティングを施す際に、吸熱剤を封入したマイクロカプセルをこの樹脂コーティング剤に混入し、毛髪を植設した人工皮膚の裏面にコーティング剤を塗布して乾燥することで人工皮膚の裏面に被膜層を形成し、この被膜層にマイクロカプセルを固定する。これにより、人工皮膚ベースの裏面に、吸熱剤を封入したマイクロカプセルを散在して固定して、かつらベースとしての人工皮膚ベースを作製することができる。
好ましくは、柔軟剤を混入したにコーティング剤を用いることで、頭皮に刺激のない人工皮膚ベースを形成することができる。また、吸熱剤として、融点が２０℃〜３５℃の高級脂肪族炭化水素を含むことで、各個人の発汗作用に対応した吸熱剤で、かつらベースの温度上昇を抑制することができる。
【発明の効果】
【００１１】
本発明のかつらによれば、かつらベースに、吸熱剤を封入したマイクロカプセルが散在して配置されているので、頭皮とかつらベースとの間の温度や気温が上昇しても吸熱剤により吸熱され、かつらベースの温度が上昇せずに、使用者に涼感を与えることができる。よって、頭皮には熱がこもり難く、頭皮からの発汗作用が抑えられ頭皮を清潔に保つことができる。また、従来のようにかつらを頻繁に外して洗う必要がなく使用者に手間をかけることがなくなる。さらに、かつらベースに柔軟剤が被膜していることで、かつらベースが頭皮に対して刺激を与えることがなく、頭皮が敏感な使用者にも支障なく使用することができる。
本発明の製造方法によれば、かつらベースに吸熱剤を封入したマイクロカプセルを散在させることができ、涼感作用を有し頭皮を清潔に保つかつらを提供することができる。
【発明を実施するための最良の形態】
【００１２】
以下、図面を参照して、本発明を実施するための最良の形態を説明する。
図１は、本発明のかつらの第１形態を示したもので、（Ａ）はかつら１０全体を示した概略図、（Ｂ）はかつらベース１１を形成するネット部材のフィラメント１１ａを示した概略図、（Ｃ）は（Ｂ）の拡大図である。
図１に示したかつら１０は、使用者の頭部にフィットするように、例えばキャップ形状に形成されたかつらベース１１に、人毛や人工毛などの毛髪１２を植設したもので、このかつらベース１１に涼感剤１３が散在して配置されたものである。
涼感剤１３は、図１（Ｃ）に示すように、０．１μｍ〜１００μｍの小胞のマイクロカプセル１３ｂに吸熱剤１３ａを封入したものである。吸熱剤１３ａは、使用者が快適と感じる温度、例えば約２０℃〜３５℃前後で固体から液体に状態が変わる物質である。吸熱剤１３ａとしては、融点が２０℃〜３５℃の範囲、例えば約２５℃や約３１℃の高級脂肪族炭化水素を挙げることができる。マイクロカプセル１３ｂは、メラミン樹脂などの樹脂からなっている。
【００１３】
図１に示した形態では、かつらベースはネット部材で形成されており、このネット部材は、通常、ナイロンやポリエステルやレーヨンや綿などの素材から作ったフィラメント１１ａを複数本撚ってマルチフィラメントとし、このマルチフィラメントを菱形状や六角形状などの単位で格子状又は網状に形成するよう、編成又は織成して全体がシート状の繊維としたものである。このネット部材を、膨出状に成形して使用者の頭型に合わせて種々の形状に形成することにより、ネットベース１１が成形される。
本発明では、上記ネット部材をネットベースに成形する前後を問わず、冷感剤付着処理を行うことができる。すなわち、経糸と緯糸とで構成したフィラメント１１ａを格子状に編成又は織成して全体が平面のシート状に形成したネット部材に対して、冷感剤付着処理を行った後、当該ネット部材をかつら用ネットベースに成形してもよく、或いは、ネットベースに成形した後で、冷感剤付着処理を行ってもよい。また、編成又は織成してネット部材にする前のフィラメントに対して冷感剤付着処理を行ってもよい。
図１（Ｂ）に示すように、ネット部材で頭部形状に成形したネットベース１１の各フィラメント１１ａの表面には、涼感剤１３が付着して散在している。ネットベース１１を構成するフィラメントは、複数本のフィラメントを撚ってマルチフィラメントで構成されているので、各フィラメント１１ａの外周表面のみならず、各フィラメント１１ａを撚った隙間１１ｂやフィラメント１１ａ同士が寄り添っていることで生じる微小な凹み１１ｃに、涼感剤１３が密集して付着している。ここで、図１（Ｂ）ではフィラメント１１ａは三本しか示していないが、フィラメント１１ａの本数はそれ以上または以下でもよい。
このように、各フィラメント１１ａの外周表面及び各フィラメントの隙間に涼感剤１３が付着していることから、ネット部材の内表面および外表面には、多数の涼感剤１３が散在して付着している。また、図示しないが、ネット部材は、フィラメント１１ａを撚って作製したマルチフィラメントを、網状に形成して繊維としているため、涼感剤１３はマルチフィラメントの結合部近傍に密集して付着している。
【００１４】
このようにかつら１０を構成することで、気温上昇や直射日光の照射で、ネットベース１１や頭皮の温度が上昇しようとしても、吸熱剤１３ａが吸熱することで、使用者に涼感を与えることができる。すなわち、気温が上昇してかつら１０や頭皮の温度が上昇しようとしても、マイクロカプセル１３ｂ中の固体の吸熱剤１３ａが融解して液化する。つまり、吸熱剤１３ａが、温度上昇分のエネルギーを融解熱として利用することで吸熱作用を示す。この状態から逆に吸熱剤１３ａの周りの温度が低下すると、マイクロカプセル１３ｂ中の液状の吸熱剤１３ａが固化し、その際に余った熱を放熱する。このように、吸熱剤１３ａを、その融点に着目して種類を選定することにより、使用者の頭部を快適な温度に維持し、使用者に涼感を与えることができる。
以上のように、気温が上昇するなどしてかつらベース１１や頭皮の温度が上昇しようとしても、かつらベース１１に散在している吸熱剤１３ａが吸熱することで、かつらベース１１と頭皮との間に熱が籠もることがなく、汗をかき難くなる。よって、使用者に不快感を与えず涼感を与えることができる。
【００１５】
次に、別の形態としてかつらの第２形態を説明する。
図２は、本発明のかつらの第２形態を示したもので、（Ａ）はかつら２０の概略を示した側面図で、（Ｂ）はかつら２０の断面図である。図２に示すように、かつら２０は、人工皮膚からなるかつらベース２１に毛髪２２が植設しており、涼感剤２４が人工皮膚ベースの裏面に被膜された被膜層２３中に散在するように固定されたものである。図２（Ｂ）では涼感剤２４を構成するマイクロカプセルや吸熱剤は省略している。
かつらベース２１が、強度が強く加工し易くかつ形状が制限されないウレタン樹脂や、加工が容易な塩化ビニール樹脂や、剥離し難いシリコンなどの樹脂を、使用者の頭部にフィットするように、例えばキャップ形状にベースとして形成されており、このかつらベース２１に、毛髪２２が植設されている。そして、このかつらベース２１の裏面に、吸熱剤をマイクロカプセルで封入してなる涼感剤２４を散在させて固定している。かつらベース２１と被膜層２３とは、同質であるので、両者を合わせて人工皮膚ベース２５と呼ぶ。
第２形態においても、涼感剤２４は、第１形態と同様の構成で同様の吸熱作用や放熱作用を有している。
なお、かつら２０の被膜層２３は、人工皮膚ベースに植設した毛髪２２が容易に引き抜けたりしないように毛髪を固定するために、人工皮膚ベース２１の裏面に設ける樹脂層であり、この皮膜層２３に涼感剤２４を混合して塗布することにより、涼感剤２４は皮膜層２３に散在して固定される。
【００１６】
このように構成されたかつら２０も、図１に示したかつら１０と同様、気温が上昇するなどしてかつらベース２５や頭皮の温度が上昇しようとしても、かつらベース２５、特に被膜層２３に固定されている吸熱剤が吸熱することで、かつらベース２５と頭皮との間に熱が籠もりにくくなり汗をかき難くなる。よって、使用者に不快感を与えず涼感を与えることができる。
【００１７】
次に、別の形態としてかつらの第３形態を説明する。
図３は、本発明のかつらの第３形態を示したもので、（Ａ）はかつら３０の正面図、（Ｂ）はかつら３０の側面図である。
かつら３０は、部分的に人工皮膚で形成された人工皮膚ベース３１ａと、部分的にネット部材で形成されたネットベース３１ｂとで頭部形状に対応するように形成されたかつらベース３１に、毛髪３２が植設されたものであり、人工皮膚ベース３１ａおよびネットベース３１ｂのそれぞれに、吸熱剤がマイクロカプセルに封入してなる涼感剤（図示せず）が散在している。人工皮膚ベース３１ａには、図２で説明したと同様に、人工皮膚の裏面にコーティングされた被膜層に涼感剤が散在するように固定されている。またネットベース３１ｂには、ネット部材の繊維表面に涼感剤が付着している。特に、人工皮膚ベース３１ａはネットベース３１ｂに比べて通気性が悪いことからネットベース３１ｂに付着している涼感剤の数より、人工皮膚ベース３１ａに固着している涼感剤の数の方が多いことが好ましい。この人工皮膚ベース３１ａは、かつらベースの全体のみならず、ネットベースを主体としてその一部、例えば前頭部や頭頂部或いは側頭部だけを部分的に人工皮膚を用いて地肌として自然に見えるようにしたものも含まれる。
【００１８】
ここで、図３に示したかつらベース３１の例では、人工皮膚ベース３１ａで後頭部からサイド部が形成され、その他の部位を頭部形状に対応するようにネットベース３１ｂで形成されており、人工皮膚ベース３１ａはネットベース３１ｂに対して縫着又は接着により取り付けられている。図３に示したかつらベース３１は一例であり、かつらベース３１のどの部位を人工皮膚およびネット部材で形成するかは、図示したものに限定されない。また、かつらベース３１に対する人工皮膚ベース３１ａやネットベース３１ｂの大きさや配置により、人工皮膚ベース３１ａ、ネットベース３１ｂの何れか一方に涼感剤を散在するようにしてもよい。
【００１９】
このように構成されたかつら３０も、図１や図２に示したかつら１０，２０と同様、気温が上昇するなどしてかつらベース３１や頭皮の温度が上昇しようとしても、人工皮膚ベース３１ａの裏側の被膜層に固定されている涼感剤やネットベース３１ｂに付着している涼感剤が吸熱することで、かつらベース３１と頭皮との間に熱がこもることなく、汗をかき難くなる。よって、使用者に不快感を与えず涼感を与えることができる。
【００２０】
以上のように、本発明のかつらを構成するかつらベースは、涼感剤が被膜層で固定されている人工皮膚や、涼感剤が付着しているネット部材で形成されているので、気温が上昇しても、マイクロカプセル中の吸熱剤が吸熱する。よって、かつらベースには、かつらの温度を一定に維持しようとする機能、つまり温度調整機能が備わっており、所定の温度に維持する。従って、かつらベース、特に人工皮膚で構成された部位に熱がこもり難く蒸れないため、かつらを清潔に維持することができる。その結果、かつらを頻繁に洗う必要がなくなるので、従来のようにかつらを頻繁に洗う煩わしさから開放される。
また、従来のように、かつらベースに通気性をよくするための穴を開ける必要性が少なくなることから、使用者の頭部の形状にそれぞれ対応することができると共に、かつらのスタイルを限定されずに、使用者のニーズに応じることができる。
【００２１】
ところで、図１〜図３に示したかつら１０，２０，３０において、かつらベース１１，２５，３１が油分を含んだ柔軟剤で被膜されていることが好ましい。
これは、吸熱剤を封入したマイクロカプセルがかつらベース１１，２５，３１に散在して配置されている場合、特に、ネット部材にマイクロカプセルが付着している場合には、かつらベース１１，２５，３１の裏面がザラつくこともあり、かつらベース１１，２５，３１が直接頭皮に接触することから、頭皮が敏感な使用者でも支障なく、かつらベース１１，２５，３１に植毛したかつら１０，２０，３０を止着することができる。
柔軟剤としては、分子構造式（ＣＨ3 ）2 ＣＨＣＨ2 （ＣＨ2 ＣＨ2 Ｃ（ＣＨ3 ）ＨＣＨ2 ）2 ＣＨ2 ＣＨ2 （ＣＨ2 Ｃ（ＣＨ3 ）ＨＣＨ2 ＣＨ2 ）2 ＣＨ2 ＣＨ（ＣＨ3 ）2 で表されるスクワランを用いるのがよい。スクワランは、分子構造式（ＣＨ3 ）2 Ｃ＝ＣＨ（ＣＨ2 ＣＨ2 Ｃ（ＣＨ3 ）＝ＣＨ）2 ＣＨ2 ＣＨ2 （ＣＨ＝Ｃ（ＣＨ3 ）ＣＨ2 ＣＨ2 ）2 ＣＨ＝Ｃ（ＣＨ3 ）2 で表されるスクワレンに、水素添加して安定化させた油である。スクワレンは、深海産のアイザメなどのサメ類の肝油から採取される。スクワランなどの柔軟剤は頭皮に刺激を与えないため、特に皮膚に敏感な使用者、例えば放射線治療や薬の副作用による脱毛部にはより効果的である。
このようにして、ネット部材が柔軟剤で被膜されていたり、人工皮膚の裏面に柔軟剤を含んだ被膜層が形成されていることで、頭皮に対して刺激を与えず、使用者に違和感を与えなくすることができる。このとき、前述の涼感剤が被膜層から突出していないのが好ましい。これにより、かつらベースが頭皮に止着されても、刺激が少なく、使用者に違和感を与えることがない。特に、放射線の治療を受けている患者や薬物服用者のように敏感肌の使用者にとっては有用である。
【００２２】
次に、以上説明したかつらの製造方法について順に説明する。
最初に、図１に示すようなかつら１０、即ち、ネット部材のみでかつらベース１１を形成してかつら１０を製造する場合を説明する。
ここで、ネット部材は、例えば、通常のナイロンやポリエステルやレーヨンや綿などのフィラメントを撚って織成または編成したものでも、マルチフィラメントを複数本縦方向に配置した縦糸群と該縦糸群に直交する方向に複数本配置した横糸群とを互いに重ね合わせた後に各交点を接着するなどして形成した不織製のものでもよい。このようにしてネット部材がシート状に形成される。また、このようなネット部材は、シート状にする前後の工程において、必要に応じて染色加工が施されている。
【００２３】
先ず、ネット部材に、マイクロカプセル１３ｂ中に吸熱剤１３ａを封入した涼感剤１３を付着させる。涼感剤１３とメラミン系樹脂などの樹脂と触媒作用を有する助剤とを所定の割合で水に入れて溶液とする。例えば、涼感剤：樹脂：助剤の重量パーセント比を、およそ、３％：０．３％：０．５％とする。樹脂としては、マイクロカプセル１３ｂの素材と同種の素材を使用することが好ましく、例えばマイクロカプセル１３ｂの素材にメラミン系樹脂を使用した場合にあっては、樹脂にもメラミン系樹脂を用いるのが好ましい。
この溶液にネット部材を所定の時間浸すことで、撚り糸に形成された隙間や糸同士を編んだり織った際に形成された隙間や、ネット部材の繊維の表面に、涼感剤１３が付着する（図１（Ｂ），（Ｃ）参照）。溶液の温度は１６０℃〜１９０℃の範囲で、例えば約１７５℃とする。浸漬する時間は溶液の温度にも依存するが、１７５℃の場合には約４０秒である。これらの最適条件は、涼感剤１３がネット部材に１０〜２０ｇ／ｍ2 で付着するように試行錯誤の上求めたものであり、かかる最適条件下でネット部材を浸漬することで、涼感剤１３がネット部材から脱離し難くなる。また、助剤による触媒作用で、樹脂とマイクロカプセル１３ｂとが反応してネット部材の表面に接着する。なお、付着という言葉は、接着という概念も包含するものとする。
【００２４】
ところで、ネット部材を溶液に浸漬する際に、涼感剤１３やネット部材のザラつき感をなくすために、ネット部材の表面処理加工も同時に行うことが好ましい。即ち、涼感剤１３、樹脂および助剤の他に、柔軟剤、好ましくはスクワランを入れて溶液とし、該溶液にネット部材を浸漬する。溶液は、例えば涼感剤：柔軟剤：樹脂：助剤が、重量パーセント比で、凡そ、３：３：０．５：０．５とする。溶液の温度や浸漬する時間は、柔軟剤による表面処理を行わない場合と同様である。
【００２５】
そして、溶液からネット部材を引き上げて乾燥させる。この一連の浸漬工程を行うことで、涼感加工を施し、ネット部材に涼感剤１３を付着する。その後、使用者の頭部の形状にフィットするようにかつらベース１１を形成し、かつらベース１１に人毛または人工毛でなる毛髪１２を植設し、かつら１０を完成させる。
【００２６】
このように、ネット部材に涼感剤を付着する涼感加工を施し、さらに好ましくは、スクワラン等の柔軟剤で被膜することで、使用者の頭部に対応した形状のかつらベースを作製し、このかつらベースに毛髪を植設することで、かつらを完成させることができる。
以上の説明では、涼感剤１３を入れた溶液にネット部材を浸漬することで、涼感剤１３をネット部材の表面に付着させているが、同様の溶液をスプレーガンでネット部材に噴射することで、ネット部材の表面に涼感剤１３を付着させてもよい。また、ネット部材でネットベースを成形した後、毛髪を植設する前工程において涼感剤１３を付着しても勿論構わない。
【００２７】
次に、図２に示したかつら２０、すなわち、人工皮膚ベース２５で形成したかつら２０を製造する方法を説明する。
図４は、人工皮膚ベース２５でかつらを製造する方法を示し、図２で使用した符号と同一または実質的に同一の部材には同一の符号が付してある。
先ず、図４（Ａ）に示すように、使用者の頭部形状に対応するように例えば精密型取り用石膏により頭部の雄型４１を成形する。次に、この雄型４１に対して、液状の軟質合成樹脂材など、ゴム弾性を有する合成樹脂を塗布することでシートを形成し加熱乾燥する作業を繰り返し行って、１０μｍ〜２５０μｍの膜厚を有する人工皮膚ベース２１を作製する。ここで、合成樹脂として、強度で様々な頭部形状に形成しやすいポリカーボネート系などのポリウレタン樹脂や、加工容易な塩化ビニール樹脂や、剥離のないシリコン樹脂など各種樹脂を用いることができる。これにより、かつらベース２１が、使用者の頭部にフィットする湾曲形状に形成することができる。
【００２８】
人工皮膚ベース２１を雄型４１から外し、この雄型４１と同型の例えばエポキシ樹脂製のかつら台４２上にセットし、図４（Ｂ）に示すように、人工皮膚ベース２１に対して、その表面に人毛及び／又は人工毛でなる毛髪２２を植設する。このときの断面を示したのが図４（Ｃ）である。図４（Ｃ）に示すように、人工皮膚ベース２１の裏側には毛髪２２の結合部２２ａが露出している。なお、図４（Ｃ）ではかつら台４２は省略している。
そして、図４（Ｄ）に示すように、植毛した人工皮膚ベース２１をかつら台４２から外してかつら台４２上に裏返しにセットする。ここで、かつらベース２１を作製する際に用いたゴム弾性を有する合成樹脂に、マイクロカプセルに吸熱剤を封入した涼感剤２４を散布して混在させて、コーティング剤としておく。この状態で人工皮膚ベース２１の凹状裏面に該コーティング剤を塗布し乾燥させて被膜層２３を形成させる（図４（Ｅ）参照）。これにより、人工皮膚ベース２１の裏面にコーティングした被膜層２３には、涼感剤２４を散在してかつ固定することができる。また、露出している毛髪の結合部２２ａを完全に覆ってかつ固定するので、人工皮膚ベース２１の表面に植設された毛髪２２が回転したり抜けたりすることもない。
なお、人工皮膚ベース２１に毛髪を植設するに先立って上記コーティング剤を塗布し、その後植毛工程に進んでもよいが、上記コーティング剤の塗布工程が２段階となり手間がかかるので、この方法は有利ではない。
【００２９】
このようにして、人工皮膚ベース２１の裏面に形成した被膜層２３に涼感剤２４を固定することができ、涼感剤２４を固定するための特別な工程を行うことなく、涼感作用を有するかつら２０を作製することができる。
【００３０】
次に、図３に示したかつら３０、すなわち、かつらベース３１を人工皮膚とネット部材で形成してかつら３０を製造する方法を説明する。
先ず、ネット部材については、前述と同様にしてネット部材に涼感剤を付着して裁断する。一方で、人工皮膚の部分は、一旦所定の形状に人工皮膚を形成しその裏面に前述と同様のコーティング剤で被膜層を形成することで作製する。そして、人工皮膚とネット部材とを互いに両面テープや縫糸で固定することで、涼感剤を散在させたかつらベースを作製し、該かつらベースに植毛してかつらを作製することができる。
以上説明したように、ネット部材及び／又は人工皮膚を用いたかつらベースに涼感作用を持たせて、かつらを作製することができる。
【実施例】
【００３１】
シート状のネット部材に涼感剤を付着し涼感作用があることを次のように確かめた。
涼感剤として、融点約２５℃の高級脂肪族炭化水素をメラミン樹脂で被膜したものを用いた。この涼感剤とメラミン樹脂と触媒作用を示す助剤と水を重量％比で３：０．５：０．５：９６となるように溶液を作製した。該溶液を１７５℃に加熱して網目の異なる２種類のネット部材を約４０分滞留させて試験片を作製した。
先ず、試験片を走査型電子顕微鏡で観察した。図５は、本発明の実施例で作製した試験片の走査型電子顕微鏡像である。加速電圧は１５ｋＶで、１５００倍で観測した。図５か
ら分かるように、フィラメントの外周面に涼感剤が付着し、フィラメントの隙間に涼感剤が入り込んでいる。
次に、熱物性測定装置で試験片の接触冷温感を測定した。試験片と温度検出器との温度差を１０℃とし、２５℃、６５％の空間で測定を行った。試験片の接触冷温感は、それぞれ０．０８１Ｊ／（ｃｍ2 ・秒）、０．０９０Ｊ／（ｃｍ2 ・秒）であった。この結果から、ネット部材に涼感剤を付着することで涼感作用があることが確認された。
【図面の簡単な説明】
【００３２】
【図１】本発明のかつらの第１形態を示し、（Ａ）はかつら全体を示す概略図、（Ｂ）はかつらベースを形成するネット部材のフィラメントを示す概略図、（Ｃ）は（Ｂ）の拡大図である。
【図２】本発明のかつらの第２形態を示し、（Ａ）はかつらの概略を示す側面図、（Ｂ）はかつらの断面図である。
【図３】本発明のかつらの第３形態を示し、（Ａ）はかつらの正面図、（Ｂ）はかつらの側面図である。
【図４】人工皮膚ベースでかつらを製造する方法を示した図である。
【図５】本発明の実施例で作製した試験片の走査型電子顕微鏡像である。
【符号の説明】
【００３３】
１０，２０，３０  かつら
１１，２１，２５，３１  かつらベース
１１ａ  フィラメント
１１ｂ  隙間
１１ｃ  凹み
１２，２２，３２  毛髪
１３，２４  涼感剤
１３ａ  吸熱剤
１３ｂ  マイクロカプセル
２２ａ  結合部
２３  被膜層
３１ａ  人工皮膚ベース
３１ｂ  ネットベース
４１  雄型
４２  かつら台
【図１】
2006193872.tif 000003
【図２】
2006193872.tif 000004
【図３】
2006193872.tif 000005
【図４】
2006193872.tif 000006
【図５】
2006193872.tif 000007